(57)【要約】      （修正有）【課題】綿糸等々の汎用されている素材を用い、簡略な製造過程を経て見栄えがよく素材自体の質感による装飾効果の高い装飾体を提供する。【解決手段】綿糸、麻糸、化学繊維糸（アクリル製糸、ナイロン製糸、ラメ糸等）等々から選ばれる糸状体を外径が大、中、小の大きさとなるように四角形状で大、中、小に寸法が異なる厚紙体に各々巻数を異ならせて巻回した後各々厚紙体から取り外し、各々の中央部分を小径針金材又は糸材等から選ばれる絞り材４により絞り付けて３個の大きさの異なる装飾体基体１１、１２、１３とし、３個の装飾体基体１１、１２、１３を中央部分で重ね合わせて絞り材４により止め付け、止め付け部分の回りの各装飾体基体１１、１２、１３の糸状体を全体として花冠状を呈するように展開した構成としたものである。【選択図】図５
0003109759.tif 000002
【実用新案登録請求の範囲】
【請求項１】
糸状体を外径が所定寸法の大きさとなるように任意数巻回した後、その中央部分を絞り材により絞り付けて装飾体基体とし、かかる装飾体基体を大きさが異なるように複数個作成して重ね合わせ、複数個の装飾体基体の相互を中央部で止め付け、止め付け部分の回りの糸状体を全体として花冠状を呈するように展開して得られたことを特徴とする装飾体。
【請求項２】
糸状体を外径が所定寸法の大きさとなるように四角形状の厚紙体に任意数巻回した後厚紙体から取り外し、その中央部分を絞り材により絞り付けて装飾体基体とし、かかる装飾体基体を大きさが異なるように複数個作成して重ね合わせ、複数個の装飾体基体の相互を中央部で止め付け、止め付け部分の回りの糸状体を全体として花冠状を呈するように展開して得られたことを特徴とする装飾体。
【請求項３】
糸状体を外径が所定寸法の大きさとなるように四角形状の厚紙体に任意数巻回した後厚紙体から取り外し、その中央部分を絞り材により絞り付けて装飾体基体とし、かかる装飾体基体を大きさが異なるように複数個作成して重ね合わせ、複数個の装飾体基体の相互を中央部で止め付け、止め付け部分の回りの糸状体を全体として花冠状を呈するように展開するとともに、プリザードフラワー又はドライフラワー、飾り玉、宝飾品等の装飾付加品を花冠部分に添加して得られたことを特徴とする装飾体。
【請求項４】
綿糸、麻糸、絹糸又は又はアクリル製糸、ナイロン製糸、ラメ糸等の化学繊維糸等から選ばれる糸状体を外径が大、中、小の大きさとなるように四角形状で大、中、小に寸法が異なる厚紙体に各々巻数を異ならせて巻回した後各々厚紙体から取り外し、各々の中央部分を小径針金材又は糸材等から選ばれる絞り材により絞り付けて３個の大きさの異なる装飾体基体とし、３個の装飾体基体を中央部分で重ね合わせて絞り材により止め付け、止め付け部分の回りの各装飾体基体の糸状体を全体として花冠状を呈するように展開するとともに、プリザードフラワー又はドライフラワー、飾り玉、宝飾品等の装飾付加品を花冠部分に添加して得られたことを特徴とする装飾体。
【請求項５】
綿糸、麻糸、絹糸又は又はアクリル製糸、ナイロン製糸、ラメ糸等の化学繊維糸等から選ばれる糸状体を外径が大、中の大きさとなるように四角形状で大、中に寸法が異なる厚紙体に各々巻数を異ならせて巻回した後各々厚紙体から取り外し、各々の中央部分を小径針金材又は糸材等から選ばれる絞り材により絞り付け大きさが大、中に異なる２個の装飾体基体とし、
糸状体を外径が小の大きさとなるように四角形状の小寸法の厚紙体に巻回した後厚紙体から取り外し、その隅部分を絞り材により絞り付けて大きさが小の装飾体基体とし、
前記大、中２個の装飾体基体の中央部分を重ね、その上に小の装飾体基体の隅部分を重ねて、絞り材によりこれらを止め付け、止め付け部分の回りの大、中の装飾体基体の糸状体を全体として花冠状を呈するように展開し、小の装飾体基体の糸状体をつぼみ状に展開して得られたことを特徴とする装飾体。
【請求項６】
綿糸、麻糸、絹糸又は又はアクリル製糸、ナイロン製糸、ラメ糸等の化学繊維糸等から選ばれる糸状体を外径が大、中の大きさとなるように四角形状で大、中に寸法が異なる厚紙体に各々巻数を異ならせて巻回した後各々厚紙体から取り外し、各々の中央部分を小径針金材又は糸材等から選ばれる絞り材により絞り付け大きさが大、中に異なる２個の装飾体基体とし、
糸状体を外径が小の大きさとなるように四角形状の小寸法の厚紙体に巻回した後厚紙体から取り外し、その隅部分を絞り材により絞り付けて大きさが小の装飾体基体とし、
前記大、中２個の装飾体基体の中央部分を重ね、その上に小の装飾体基体の隅部分を重ねて、絞り材によりこれらを止め付け、止め付け部分の回りの大、中の装飾体基体の糸状体を全体として花冠状を呈するように展開し、小の装飾体基体の糸状体をつぼみ状に展開し、プリザードフラワー又はドライフラワー、飾り玉、宝飾品等の装飾付加品を花冠部分、つぼみ状部分に添加して得られたことを特徴とする装飾体。
【請求項７】
糸状体を外径が所定寸法の大きさとなるように四角形状の厚紙体に任意数巻回した後厚紙体から取り外し、その中央部分を絞り材により絞り付けて装飾体基体とし、かかる装飾体基体を大きさが異なるように複数個作成して重ね合わせ、複数個の装飾体基体の相互を中央部で止め付け、止め付け部分の回りの糸状体を全体として花冠状を呈するように展開するとともに、重ね合わせた装飾体基体の背面側に着衣への取り付け用の掛り止め部材を取り付けて得られたことを特徴とする装身具。
【請求項８】
糸状体を外径が所定寸法の大きさとなるように四角形状の厚紙体に任意数巻回した後厚紙体から取り外し、その中央部分を絞り材により絞り付けて装飾体基体とし、かかる装飾体基体を大きさが異なるように複数個作成して重ね合わせ、複数個の装飾体基体の相互を中央部で止め付け、止め付け部分の回りの糸状体を全体として花冠状を呈するように展開するとともに、プリザードフラワー又はドライフラワー、飾り玉、宝飾品等の装飾付加品を花冠部分に添加し、重ね合わせた装飾体基体の背面側に着衣への取り付け用の掛り止め部材を取り付けて得られたことを特徴とする装身具。
【請求項９】
糸状体を外径が大、中、小の大きさとなるように四角形状で大、中、小に寸法が異なる厚紙体に各々巻数を異ならせて巻回した後各々厚紙体から取り外し、各々の中央部分を絞り材により絞り付けて３個の大きさの異なる装飾体基体とし、３個の装飾体基体を中央部分で重ね合わせて絞り材により止め付け、止め付け部分の回りの各装飾体基体の糸状体を全体として花冠状を呈するように展開するとともに、プリザードフラワー又はドライフラワー、飾り玉、宝飾品等の装飾付加品を花冠部分に添加し、重ね合わせた装飾体基体の背面側に着衣への取り付け用の掛り止め部材を取り付けて得られたことを特徴とする装身具。
【請求項１０】
綿糸、麻糸、絹糸又は又はアクリル製糸、ナイロン製糸、ラメ糸等の化学繊維糸等から選ばれる糸状体を外径が大、中の大きさとなるように四角形状で大、中に寸法が異なる厚紙体に各々巻数を異ならせて巻回した後各々厚紙体から取り外し、各々の中央部分を小径針金材又は糸材等から選ばれる絞り材により絞り付け大きさが大、中に異なる２個の装飾体基体とし、
糸状体を外径が小の大きさとなるように四角形状の小寸法の厚紙体に巻回した後厚紙体から取り外し、その隅部分を絞り材により絞り付けて大きさが小の装飾体基体とし、
前記大、中２個の装飾体基体の中央部分を重ね、その上に小の装飾体基体の隅部分を重ねて、絞り材によりこれらを止め付け、止め付け部分の回りの大、中の装飾体基体の糸状体を全体として花冠状を呈するように展開し、小の装飾体基体の糸状体をつぼみ状に展開し、重ね合わせた装飾体基体の背面側に着衣への取り付け用の掛り止め部材を取り付けて得られたことを特徴とする装身具。
【請求項１１】
綿糸、麻糸、絹糸又は又はアクリル製糸、ナイロン製糸、ラメ糸等の化学繊維糸等から選ばれる糸状体を外径が大、中の大きさとなるように四角形状で大、中に寸法が異なる厚紙体に各々巻数を異ならせて巻回した後各々厚紙体から取り外し、各々の中央部分を小径針金材又は糸材等から選ばれる絞り材により絞り付け大きさが大、中に異なる２個の装飾体基体とし、
糸状体を外径が小の大きさとなるように四角形状の小寸法の厚紙体に巻回した後厚紙体から取り外し、その隅部分を絞り材により絞り付けて大きさが小の装飾体基体とし、
前記大、中２個の装飾体基体の中央部分を重ね、その上に小の装飾体基体の隅部分を重ねて、絞り材によりこれらを止め付け、止め付け部分の回りの大、中の装飾体基体の糸状体を全体として花冠状を呈するように展開し、小の装飾体基体の糸状体をつぼみ状に展開し、プリザードフラワー又はドライフラワー、飾り玉、宝飾品等の装飾付加品を花冠部分、つぼみ状部分に添加し、重ね合わせた装飾体基体の背面側に着衣への取り付け用の掛り止め部材を取り付けて得られたことを特徴とする装身具。
【考案の詳細な説明】
【技術分野】
【０００１】
本考案は、装飾体及び装身具に関し、詳しくは綿糸、麻糸、絹糸又は又はアクリル製糸、ナイロン製糸、ラメ糸等の化学繊維糸等を素材とした装飾効果、装身効果の高い装飾体及び装身具に関するものである。
【背景技術】
【０００２】
従来から、綿糸、麻糸、絹糸等の糸材や造花等を利用して各種の装飾体を構成する試みが種々なされている。例えば、特許文献１には、糸束を用いた組み紐と、２枚の透明板とを組み合わせた薄形直方体状の装飾体が提案されている。
【０００３】
また、特許文献２には、造花の茎、造葉、リボン、安全ピン等を組み合わせて構成したコサージュが提案されている。
【０００４】
しかし、これら特許文献１の装飾体や、特許文献１、２のコサージュの場合においては、綿糸、麻糸、絹糸等の糸材自体が持つ質感等の特性を十分に活用するものではない。
【特許文献１】特開平１１−３０１１８８号公報
【特許文献２】特開２０００−１３６４１７号公報
【考案の開示】
【考案が解決しようとする課題】
【０００５】
解決しようとする問題点は、綿糸、麻糸又は又はアクリル製糸、ナイロン製糸、ラメ糸等の化学繊維糸等のような汎用されている素材を用い、簡略に製造可能で、且つ、素材自体の質感による装飾効果の高い装飾体、更には装身具が存在しない点である。
【課題を解決するための手段】
【０００６】
本考案の装飾体は、糸状体を外径が所定寸法の大きさとなるように任意数巻回し又は四角形状の厚紙体に任意数巻回した後、該厚紙体から取り外し、その中央部分を絞り材により絞り付けて装飾体基体とし、かかる装飾体基体を大きさが異なるように複数個作成して重ね合わせ、複数個の装飾体基体の相互を中央部で止め付け、止め付け部分の回りの糸状体を全体として花冠状を呈するように展開して得られたことを最も主要な特徴とする。
【考案の効果】
【０００７】
本考案によれば、以下の効果を奏する。
請求項１、２記載の考案によれば、汎用されている綿糸、麻糸、絹糸又は又はアクリル製糸、ナイロン製糸、ラメ糸等の化学繊維糸等の素材を用い、簡略な製造過程を経て見栄えがよく素材自体の質感による装飾効果の高い花冠状の装飾体を提供することができ、店舗等や一般家庭において簡略に壁等に取り付けることで斬新な装飾効果を発揮させることができる。
【０００８】
また、請求項３記載の考案によれば、上記効果に加え、プリザードフラワー又はドライフラワー、飾り玉、宝飾品等の装飾付加品を花冠部分に添加した構成としたことで、より一層装飾効果を高めることができる花冠状の装飾体を提供することができる。
【０００９】
更に、請求項４記載の考案によれば、外径が大、中、小の３個の大きさの異なる装飾体基体を基にした３重構成で、請求項２記載の考案の場合と同様な装飾効果を発揮させることができる。
【００１０】
請求項５記載の考案によれば、外径が大、中の２個の大きさの異なる装飾体基体と、外径が小の装飾体基体とを用いて見栄えがよく素材自体の質感による装飾効果の高い花冠状でつぼみ状部分を有する装飾体を提供することができる。
【００１１】
請求項６記載の考案によれば、請求項４記載の考案の効果に加え、プリザードフラワー又はドライフラワー、飾り玉、宝飾品等の装飾付加品を花冠部分、つぼみ状部分に添加した構成としたことで、より一層装飾効果を高めることができる。
【００１２】
請求項７記載の考案によれば、汎用されている綿糸、麻糸、絹糸又は又はアクリル製糸、ナイロン製糸、ラメ糸等の化学繊維糸等の素材を用い、簡略な製造過程を経て見栄えがよく素材自体の質感による装飾効果の高い花冠状の装身具を提供することができ、着衣の胸元等に取り付けることで、斬新な装飾効果を発揮させることができる。
【００１３】
また、請求項８記載の考案によれば、上記効果に加え、プリザードフラワー又はドライフラワー、飾り玉、宝飾品等の装飾付加品を花冠部分に添加した構成としたことで、より一層装飾効果を高めることができる花冠状の装身具を提供することができる。
【００１４】
更に、請求項９記載の考案によれば、外径が大、中、小の３個の大きさの異なる装飾体基体を基にした３重構成で、請求項７記載の考案の場合と同様な装飾効果を発揮させることができる。
【００１５】
請求項１０記載の考案によれば、外径が大、中の２個の大きさの異なる装飾体基体と、外径が小の装飾体基体とを用いて見栄えがよく素材自体の質感による装飾効果の高い花冠状でつぼみ状部分を有する装身具を提供することができる。
【００１６】
請求項１１記載の考案によれば、請求項９記載の考案の効果に加え、プリザードフラワー又はドライフラワー、飾り玉、宝飾品等の装飾付加品を花冠部分、つぼみ状部分に添加した構成としたことで、より一層装飾効果を高めることができる装身具を提供することができる。
【考案を実施するための最良の形態】
【００１７】
本考案は、汎用されている素材を用い、簡略な製造過程を経て見栄えがよく素材自体の質感による装飾効果の高い装飾体を得るという目的を、綿糸、麻糸又は又はアクリル製糸、ナイロン製糸、ラメ糸等の化学繊維糸等から選ばれる糸状体を外径が大、中、小の大きさとなるように四角形状で大、中、小に寸法が異なる厚紙体に各々巻数を異ならせて巻回した後各々厚紙体から取り外し、各々の中央部分を小径針金材又は糸材等から選ばれる絞り材により絞り付けて３個の大きさの異なる装飾体基体とし、３個の装飾体基体を中央部分で重ね合わせて絞り材により止め付け、止め付け部分の回りの各装飾体基体の糸状体を全体として花冠状を呈するように展開するとともに、プリザードフラワー又はドライフラワー、飾り玉、宝飾品等の装飾付加品を花冠部分に添加した構成により実現した。
【実施例】
【００１８】
以下に、本考案の実施例を詳細に説明する。
（実施例１）
本考案に係る実施例１の装飾体１について図１、及び図２乃至図５を参照して説明する。
【００１９】
図１は本実施例１に係る装飾体１の表面形状を示すものであり、この装飾体１は、詳細は後述する３個の装飾体基体１１、１２、１３の中央部を重ね合わせて、その中央部を、例えば、糸材又は小径の針金材等からなる絞り材４で止め付け、その全体形状を例えば菊花形状の花冠状に展開することで得られたものである。
【００２０】
次に、本実施例１の装飾体１の製造過程について、図２乃至図５を参照して説明する。
この装飾体１を製造するに際して、まず、図２に示すように、綿糸、麻糸、絹糸、化学繊維糸（アクリル製糸、ナイロン製糸、ラメ糸等）等から選定した糸状体２を、目的とする大きさに応じて例えば巻き付け幅１０ｃｍ程度とした四角形状の段ボール材等の厚紙体３に多数回（例えば１００回程度）巻き付けた後、厚紙体３のみを抜き取る。これにより、大寸法の糸状体２の巻回体２Ａを得る。更に、巻回体２Ａの中央部を糸材又は小径の針金材等からなる絞り材４により絞り付けて、中央部が絞られた束状で糸状体２を１００回程度巻回してなる大寸法の装飾体基体１１とする。
【００２１】
次に、図３に示すように、上述した場合と同様、麻糸、絹糸等から選定した糸状体２を、目的とする大きさに応じて例えば巻き付け幅６ｃｍ程度とした四角形状の段ボール材等の厚紙体３に多数回（例えば６０回程度）巻き付けた後、厚紙体３のみを抜き取る。これにより、中寸法の糸状体２の巻回体２Ａを得る。更に、巻回体２Ａの中央部を糸材又は小径の針金材等からなる絞り材４により絞り付けて、中央部が絞られた束状で糸状体２を６０回程度巻回してなる中寸法の装飾体基体１２とする。
【００２２】
更に、図４に示すように、上述した場合と同様、麻糸、絹糸等から選定した糸状体２を、目的とする大きさに応じて例えば巻き付け幅３ｃｍ程度とした四角形状の段ボール材等の厚紙体３に多数回（例えば３０回程度）巻き付けた後、厚紙体３のみを抜き取る。これにより、小寸法の糸状体２の巻回体２Ａを得る。更に、巻回体２Ａの中央部を糸材又は小径の針金材等からなる絞り材４により絞り付けて、中央部が絞られた束状で糸状体２を３０回程度巻回してなる小寸法の装飾体基体１３とする。
【００２３】
次に、上述のようにして得られた大、中、小の各装飾体基体１１、１２、１３の相互を、図５に示すように３段に重ね合わせ、これらの中央部を絞り材４にて縛り止め付けた後、これら各装飾体基体１１、１２、１３の中央部の周りの糸状体２の集合部分を全体形状が、例えば菊花形状を呈する花冠状に展開することで、本実施例１の装飾体１とするものである。
【００２４】
なお、図２乃至図５においては、説明の便宜上、各装飾体基体１１、１２及び１３における糸状体２の巻回数は実際の巻回数（１００回、６０回、３０回）とは異なるが、これらを各々１００回、６０回、３０回程度とすることで図１に示すような装飾体１とすることができる。
【００２５】
このようにして製造される本実施例１の装飾体１によれば、汎用されている綿糸、麻糸、絹糸、化学繊維糸（アクリル製糸、ナイロン製糸、ラメ糸等）等の素材を用い、簡略な製造過程を経て見栄えがよく、綿糸、麻糸、絹糸、化学繊維糸（アクリル製糸、ナイロン製糸、ラメ糸等）等の質感等の特性による装飾効果の高い菊花形状を呈する花冠状の装飾体１とすることができ、この装飾体１を例えば店舗等の売り場壁面、ショーウィンドウ壁面、一般家庭の玄関の壁面、居室の壁面等広範な箇所に糸材を用いて吊り下げたり、接着剤にて貼り付けたりすることで斬新な装飾機能を発揮させることができる。
【００２６】
次に、図６、図７を参照して本実施例１の装飾体１の変形例である装飾体１Ａ及びその製造過程について説明する。
【００２７】
図７に示す装飾体１Ａは、大きさが大、中に異なる上述した場合と同様な２個の装飾体基体１１、１２と、糸状体２を３０回程度巻回し、その隅部分を絞り材４により絞り付けて大きさを小とした装飾体基体１３Ａとを装飾体基体１１、装飾体基体１２、装飾体基体１３Ａの順に３重に重ね合わせ、装飾体基体１３Ａを縛っている絞り材４を利用してこれらを一体的に止め付け、止め付け部分の回りの大、中の装飾体基体１１、１２を構成する糸状体２を全体として菊花形状を呈する花冠状に展開し、更に小の装飾体基体１３Ａを構成する糸状体２をつぼみ状に展開して前記絞り材４が表面から見えないように構成したものである。
【００２８】
このような大きさが小の装飾体基体１３Ａは、図６に示すように、麻糸、絹糸等から選定した糸状体２を、例えば巻き付け幅３ｃｍ程度とした四角形状の段ボール材等の厚紙体３に例えば３０回程度巻き付けた後、厚紙体３のみを抜き取って小寸法の糸状体２の巻回体２Ａとした後、この巻回体２Ａの隅部分を絞り材４により絞り付けることにより得るものである。
【００２９】
図７に示す変形例によれば、外径が大、中の２個の大きさの異なる装飾体基体１１、１２と、外径が小の装飾体基体１３Ａとを用いて、見栄えがよく素材自体の質感による装飾効果の高い花冠状でつぼみ状部分を有する装飾体１Ａとすることができる。
【００３０】
（実施例２）
次に、図８を参照して、本考案の実施例２に係る装飾体２１の実際の構成例を説明する。
図８に示す装飾体２１は、既述した実施例１の装飾体１の構成に加えて、この装飾体１の花冠部分の周辺部、中央部等の適宜箇所に、装飾付加品の一種である飾り玉であるビーズ２２を適宜数（１０個、２０個等）取り付けて、これにより、前記装飾体１による装飾効果をより高めた装飾体２１としたものである。
【００３１】
本実施例２に係る装飾体２１によっても、実施例１に係る装飾体１の場合と同様、広範な箇所に糸材を用いて吊り下げたり、接着剤にて貼り付けたりすることで斬新な装飾機能を発揮させることができる。
【００３２】
（実施例３）
次に、図９を参照して、本考案の実施例３に係る装飾体３１の実際の構成例を説明する。
図９に示す装飾体３１は、既述した実施例１の装飾体１の構成に加えて、この装飾体１の花冠部分の中央部に、装飾付加品の一種である宝飾品としたの真珠３２を適宜数（例えば２個等）取り付けて、これにより、前記装飾体１による装飾効果をより高めた装飾体３１としたものである。
【００３３】
本実施例３に係る装飾体３１によっても、実施例１に係る装飾体１の場合と同様、広範な箇所に糸材を用いて吊り下げたり、接着剤にて貼り付けたりすることで斬新な装飾機能を発揮させることができる。
【００３４】
なお、実施例２、３に係る装飾体２１、３１の場合においても、各々図７に示す変形例の装飾体１Ａを採用してこれら装飾体２１、３１を構成することができることは勿論であり、この場合も各々上述した場合と同様な装飾効果を発揮させることができる。
【００３５】
（実施例４）
次に、本考案に係る実施例４の装身具４１について図１０、図１１を参照して説明する。
図１０、図１１に示す実施例４に係る装身具４１は、基本的な構成は、図１に装飾体１と同様であるが、各装飾体基体１１、１２、１３の重ね合わせ部分の背面側における中央部分に、図１１に示すように布材４２を添着するとともに、この布材４２で一部を覆い、ピン４３ａの部分を例えば婦人等の着衣（ジャケット等）における胸元部分へ差し込んで、取り付け可能とした掛り止め部材（止めピン等）４３を付加したことが特徴である。
【００３６】
この実施例４の装身具４１によれば、汎用されている綿糸、麻糸、絹糸、化学繊維糸（アクリル製糸、ナイロン製糸、ラメ糸等）等の素材を用い、簡略な製造過程を経て、見栄えがよく装飾効果の高い菊花形状を呈する花冠状の装身具４１、すなわち胸飾り（コサージ）とすることができ、婦人等の着衣における胸元部分に前記掛り止め部材４３を用いて取り付けることで、この装身具４１による装飾効果、装身効果を有効に発揮させることができる。
【００３７】
本実施例４の装身具４１の場合においても、実施例１の装飾体１の場合と同様、装身具４１の花冠部分の適宜箇所に装飾付加品であるビーズやプリザードフラワー又はドライフラワーを付加した構成としたり、装身具４１の花冠部分の中央に、装飾付加品である真珠を付加した構成としたり、また、図７に示す変形例の装飾体１Ａと同様な構成を採用したり、更にはこれにビーズやプリザードフラワー又はドライフラワー、真珠等を付加した構成とすることができることは勿論であり、各々の場合においても装飾効果、装身効果を有効に発揮させることができる。
なお、プリザーブとは、“保存する”という意味であり、生花にプリザーブド加工という特殊な加工を施し、生花のみずみずしさや風合いを長期間保つことのできる花のことをいう。使用される着色料、薬品はメーカーにより違いはあるが、オーガニックなものや、人体や環境に影響のない材料を使って形成されるものである。プリザーブドフラワーは、もともとヨーロッパから広まり、対象はバラだけではなく、カーネーション、ラン、アジサイなどの花等がある。
【００３８】
なお、上述した各実施例、変形例において、各装飾体基体１１、１２、１３の個数、各々の寸法、糸状体２の巻回数は、既述した場合に限定されるものではなく、装飾体１、装身具４１等の各使用態様に応じて種々に選定できるものである。
【００３９】
また、前記装飾体１、装飾体１Ａ、装飾体２１、３１、装身具４１の素材として用いる糸状体２としては、綿糸、麻糸、絹糸、化学繊維糸（アクリル製糸、ナイロン製糸、ラメ糸等）の他、例えば赤、青、金色等に着色した小径針金材を使用することも可能である。
更に、前記装飾付加品としては、既述したビーズ、プリザードフラワー又はドライフラワー、真珠等の他、各種の飾り玉類、オパール、ダイヤ等の宝飾品等の各種の装飾材から任意に選定して各々装飾効果を発揮させることができる。
【産業上の利用可能性】
【００４０】
本考案は、上述した場合の他、前記装飾体基体を製造した後、装飾体基体の形状を桜花状、梅花状等、種々の花冠形状に展開して各々興趣があり、斬新な装飾体、装身具とすることができる。
【図面の簡単な説明】
【００４１】
【図１】本考案の実施例１に係る装飾体の実際の構成例を示す概略斜視図である。
【図２】本考案の実施例１に係る大寸法の装飾体基体の製造過程を示す概略説明図である。
【図３】本考案の実施例１に係る中寸法の装飾体基体の製造過程を示す概略説明図である。
【図４】本考案の実施例１に係る小寸法の装飾体基体の製造過程を示す概略説明図である。
【図５】本考案の実施例１に係る各装飾体基体を基に装飾体を製造する過程を示す概略説明図である。
【図６】本考案の実施例１に係る小寸法の装飾体基体の変形例の製造過程を示す概略説明図である。
【図７】図６に示す小寸法の装飾体基体を用いたつぼみ状部分を有する装飾体の構成例を示す概略説明図である。
【図８】本考案の実施例２に係る装飾体の実際の構成例を示す概略斜視図である。
【図９】本考案の実施例３に係る装飾体の実際の構成例の更に他例を示す概略斜視図である。
【図１０】本考案の実施例４に係る装身具の実際の構成例を示す概略斜視図である。
【図１１】図１０に示す実施例４に係る装身具の背面図である。
【符号の説明】
【００４２】
１    装飾体
１Ａ  装飾体
２    糸状体
２Ａ  巻回体
３    厚紙体
４    絞り材
１１    装飾体基体
１２    装飾体基体
１３    装飾体基体
１３Ａ  装飾体基体
２１    装飾体
２２    ビーズ
３１    装飾体
３２    真珠
４１    装身具
４２    布材
４３    掛り止め部材
４３ａ  ピン
【図１】
0003109759.tif 000003
【図２】
0003109759.tif 000004
【図３】
0003109759.tif 000005
【図４】
0003109759.tif 000006
【図５】
0003109759.tif 000007
【図６】
0003109759.tif 000008
【図７】
0003109759.tif 000009
【図８】
0003109759.tif 000010
【図９】
0003109759.tif 000011
【図１０】
0003109759.tif 000012
【図１１】
0003109759.tif 000013